【事件の表示】
　上記当事者間の登録第２６１８８８７号商標の登録取消審判事件について、次のとおり審決する。
【結　論】
　本件審判の請求は、成り立たない。
　審判費用は、請求人の負担とする。
【理　由】
１　本件商標
　本件登録第２６１８８８７号商標（以下「本件商標」という。）は、「Ｂｉｏｍｅｔｉｃ」の文字を横書きしてなり、平成３年１０月２１日に登録出願、第４類「せっけん類、歯みがき、化粧品、香料類」を指定商品として、同６年１月３１日に設定登録、その後、同１６年２月１０日に商標権存続期間の更新登録がされたものである。
　
２　請求人の主張
　請求人は、本件商標の登録を取り消す、審判費用は被請求人の負担とする、との審決を求め、その理由及び答弁に対する弁駁を要旨次のように述べ、証拠方法として甲第１号証ないし甲第６号証を提出した。
（１）請求人の調査したところによれば、商標権者である被請求人が本件商標をその指定商品について使用している事実は発見できなかった。また、本件商標に係る登録原簿上、専用使用権及び通常使用権の登録もないところである。
　したがって、継続して３年以上、商標権者、専用使用権者又は通常使用権者のいずれもが上記指定商品について本件商標の使用をしていないと推認されるものであるから、本件商標の登録は、商標法第５０条第１項の規定により取り消されるべきである。
（２）答弁に対する弁駁
（ア）乙各号証の矛盾点について
（ａ）発注数量と納品数量との不一致
　被請求人が提出する乙第９号証の「製品生産発注書」によれば、２００２年２月１５日付でセルレ株式会社は、フィディカコスメ株式会社に対して、「ビオメティック　ミルキィクレンジング」「ビオメティック　クレンジングパウダー」「ビオメティック　スキンローション」及び「ビオメティック　ミルキィローション」各３５個の製造を発注した旨が記載されている。
　その一方、フィディカコスメ株式会社九州工場がセルレ株式会社に宛てた乙第１０号証の「納品書」及び乙第１２号証の「請求書」をみると、「ビオメティック　クレンジングパウダー」が２９個納品（発注数量は３５個）、「ビオメティック　ミルキィクレンジング」が３７個納品（発注数量は３５個）と記載されている。
　商品の発注数量と納品数量との間には、このような齟齬があり、両者の対応関係が不明であるから、これら乙各号証は、本件商標を使用する商品「化粧品」が現に製造された事実を立証する証拠としての的確な証明力を有していない。
（ｂ）化粧品製造製品販売名届書の日付の不整合
　化粧品を製造するに際しては、化粧品製造製品販売名届書の提出が義務付けられており、その化粧品製造（輸入販売）業の許可申請等については、「薬事法第１４条第１項の規定に基づき厚生労働大臣の指定する化粧品の成分を定める件（平成１２年９月厚生省告示第３３０号）に定める品目ごとの承認を必要とされる化粧品以外の化粧品は、「化粧品」として品目の許可を与える。当該許可に係る個々の製品について実際に製造（輸入）を行う場合には、当該製品ごとにあらかじめ販売名等を届け出ることとする」（甲第１号証）とされている。
　ここで、フィディカコスメ株式会社が静岡県知事に対して届け出た「ビオメティック　スキンローション」及び「ビオメティック　ミルキィローション」に係る「化粧品製造製品販売名届書」（乙第１５号証）によれば、その提出日付は、２００２年２月１８日とされているが、被請求人が提出する乙第９号証の「製品生産発注書」をみると、セルレ株式会社がフィディカコスメ株式会社に対して「ビオメティック　スキンローション」及び「ビオメティック　ミルキィローション」の製造を発注した日付は、当該提出日よりも以前の同年２月１５日となっている。被請求人が提出する乙各号証から実際の製造日は明らかではないが、仮に、これら化粧品の製造が「化粧品製造製品販売名届書」の提出以前に開始されていた場合には、違法な製造行為が行われていたことになる。
　また、被請求人は、答弁書において「エルソルプロダクツ株式会社は、フィディカコスメ株式会社の依頼により、本件商品の製造工程の一部の原料調整、充填工程を行ったものである」と主張し、乙第１７号証としてエルソルプロダクツ株式会社が静岡県知事に対して届け出た「ビオメティック　スキンローション」及び「ビオメティック　ミルキィローション」に係る「化粧品製造製品販売名届書」を提出している（乙第１７号証）。当該届書をみると、その届出日付は、２００２年２月２６日となっており、そして、フィディカコスメ株式会社が、これら商品をセルレ株式会社へ納品した日付は、その翌日の同年２月２７日となっている（乙第１１号証）。
　なるほど形式的にみれば、当該届出後に、エルソルプロダクツ株式会社が適法に本件商品の製造工程の一部の原料調整及び充填工程を行ったということもできるかもしれない。しかし、当該届出日の翌日に商品が完成し、これが納品されるということは、業界の常識に照らして考え難いことである。もし、現実に僅か１日で、エルソルプロダクツ株式会社及びフィディカコスメ株式会社が「ビオメティック　スキンローション」及び「ビオメティック　ミルキィローション」を製造し、これをセルレ株式会社へ納品しているというのであれば、その製造記録が開示されるべきである。すなわち、薬事法施行規則第２３条において、「医薬品等の製造所の管理者又は責任技術者は、製造及び試験に関する記録その他当該製造所の管理に関する記録を作成し、かつ、これを３年間（当該記録に係る医薬品等に関して有効期間（使用の期限を含む。以下同じ。）の記載が義務づけられている場合には、その有効期間に一年を加算した期間）保管しなければならない」旨が規定されており（甲第２号証）、ここでいう「医薬品等」には「医薬品、医薬部外品」のみならず「化粧品」も含まれている（同規則第１４条）ことから、被請求人は、容易にその製造記録を開示できるはずである。
　それにもかかわらず、そのような証拠が提出されていないことからしても、被請求人が提出する証拠は、信用することができない。
　したがって、被請求人が乙第１７号証として提出する「化粧品製造製品販売名届書」の日付と乙第１１号証の「納品書」の日付とは整合しないから、これらは、本件商標が商品「化粧品」について製造された事実を立証する証明力を有していない。
（ｃ）本件商品の製造数量
　乙第９号証の「製品生産発注書」に記載された数量は（前記（ａ）で述べたとおり、一部の商品については、納品数量との間に齟齬があるが）、僅か各３５個である。仮に、これがサンプル品の製造ということであれば、この数量にも首肯することができるが、乙第７号証によれば、被請求人は、これら商品を単なるサンプル品ではなく、通常の商品として販売していることになる。そうすると、このような極めて微量の製造数量は、異常といわなければならない。けだし、化粧品製造製品販売名届書を提出し、包装明細書を新たに作成しなければならないような新規の商品であって、その単価が４００円程度のものを僅か３５個ずつ（合計で僅か２７，９６５円）製造していた（乙第１１号証）のでは、商業的に採算がとれないからである。
　以上のとおり、被請求人が提出する乙各号証には、種々の矛盾点等が存在しているから、被請求人は、これら証拠によって、本件商標が本件審判請求に係る指定商品「化粧品」について使用されていることを証明しているとはいえない。
（イ）登録商標の使用について
　まず、被請求人は、本件審判請求の予告登録前３年以内に取消請求に係る指定商品中の「化粧品」について、本件商標の使用をしていると主張し、その証拠として、乙第１０号証（納品書）及び乙第１２号証（請求書）を提出しているが、その「品番・品名」の項には、「クレンジングパウダー」「ミルキィクレンジング」と記載されているのみであり、これが本件商標「Ｂｉｏｍｅｔｉｃ」を使用する商品に関するものであるかどうか不明である。
　したがって、これらの乙号証は、被請求人の前記主張を裏付ける証拠とはなり得ない。
　次に、被請求人が提出する乙第７号証の１ないし１３（売上伝票）、乙第９号証（製品生産発注書）、乙第１１号証（納品書）、乙第１３号証（請求書）、乙第１４号証（化粧品製造製品販売名届書）、乙第１５号証（化粧品製造製品販売名届書）、乙第１６号証（化粧品製造製品販売名届書）及び乙第１７号証（化粧品製造製品販売名届書）は、いずれも片仮名文字より構成される「ビオメティック　ミルキーローション」「ビオメティック　スキンローション」「ビオメティック　クレンジングパウダー」又は「ビオメティック　ミルキィクレンジング」の記載が認められるものの、本件商標「Ｂｉｏｍｅｔｉｃ」の記載が認められない。
　そこで、上記乙号証に示された「ビオメティック」と本件商標「Ｂｉｏｍｅｔｉｃ」とが社会通念上同一といえるか否かについて検討する。
　この点につき、商標法第５０条第１項括弧書きは、社会通念上同一と認められる商標の例示として「書体のみに変更を加えた同一の文字からなる商標、平仮名、片仮名、及びローマ字の文字の表示を相互に変更するものであって同一の称呼及び観念を生ずる商標」等をあげている。
　確かに、本件商標を構成する「Ｂｉｏｍｅｔｉｃ」をローマ字読みした場合には、「ビオメティック」の称呼が生じ得る。
　しかしながら、本件商標の構成中の「Ｂｉｏ」の文字は「生命、生物」を意味する連結形として、古くは自然科学で用いられていたものであり、今日では、その用法が拡大され、社会的な文脈でも使用される程に一般化しているものである。このことは、「ｂｉｏ」を接頭語とする英語が多数存在することからも明らかである。そして、当該「Ｂｉｏ」の文字より生ずる称呼は、「バイオ」であり（甲第３号証）、また、本件商標の特許庁称呼についても、第１称呼として付与されているのは、「バイオメティック」である（甲第４号証）。そうすると、本件商標を構成する「Ｂｉｏｍｅｔｉｃ」に照応する一般的な称呼は、「ビオメティック」ではなく、「バイオメティック」であるというべきである。
　さらに、本件商標「Ｂｉｏｍｅｔｉｃ」の構成中の「Ｂｉｏ」は、前記のとおり「バイオ」と称呼され、「生命、生物」を意味するものとして我が国において広く親しまれている語であることから、これを「バイオ」ではなく、「ビオ」と称呼した場合には、「生命、生物」という意味合いを観念することができない。
　したがって、本件商標「Ｂｉｏｍｅｔｉｃ」と上記乙号証に示された「ビオメティック」とは、照応する称呼及び観念において相違する別異の商標というべきであり、社会通念上同一の商標とはいえない。
　よって、被請求人が提出する乙第７号証の１ないし１３（売上伝票）、乙第９号証（製品生産発注書）、乙第１１号証（納品書）、乙第１３号証（請求書）、乙第１４号証（化粧品製造製品販売名届書）、乙第１５号証（化粧品製造製品販売名届書）、乙第１６号証（化粧品製造製品販売名届書）及び乙第１７号証（化粧品製造製品販売名届書）は、いずれも本件商標が本件審判請求に係る指定商品に使用されていることを立証する証拠とはなり得ないものである。
　そして、上記乙号証以外に被請求人が提出する証拠は、それらのみでは、被請求人が本件審判請求の予告登録前３年以内に本件審判請求に係る指定商品である「化粧品」について本件商標の使用をしている事実を立証するものではない。
　すなわち、乙第１号証は、単に被請求人がセルレ株式会社へ通常使用権の設定契約をしている事実を示すものであるが、単なる通常使用権の許諾行為が登録商標の使用に該当しないことは、商標の使用行為について規定する商標法第２条第３項の規定より明らかなところである。また、乙第２号証については、各店舗の住所を示すものにすぎない。
　乙第３号証ないし乙第６号証の「商品の写真」並びに乙第１８号証の「包装明細書」には、「ＢＩＯＭＥＴＩＣ」の文字が表されているが、乙第３号証ないし乙第６号証の「商品の写真」の撮影者は、何故か本件商標を使用していないライセンサーである被請求人の当時の社員と推測される者が子会社かつライセンシーであるセルレ株式会社の店頭で撮影したとしており、また、乙第１８号証の「包装明細書」は、被請求人の子会社等（甲第５号証及び甲第６号証）の関係者と推測される者が作成している。
　したがって、これらは本件審判請求後に作成することも可能な書類であることに加えて、前記（ア）において述べたとおり、乙各号証には、種々の矛盾点等が存在するから、乙第３号証ないし乙第６号証における撮影日並びに乙第１８号証の内容についても、にわかに信用することはできない。
　請求人が医薬品及び化粧品の製造販売業を主として営む者として察するところでは、今回の被請求人の指定商品「化粧品」についての使用証明は、明らかに商標の不使用取消しを免れるための形式的な証拠作りをしたものにすぎない。このような名目的な商標の使用行為によって、本来、商標法が保護対象とする業務上の信用が本件商標に化体することはなく、出所表示機能が発揮されることもない。
　それにもかかわらず、被請求人が提出する形式的な証拠に基づき本件商標の使用を認定することは、商標法が登録主義の弊害・是正を目的として同法第５０条第１項所定の取消審判を設けた制度趣旨に合致しないし、同法の趣旨に照らせば、本件商標は、その登録の取消しを免れないと解すべきである。他方、仮に、被請求人が提出する各証拠に示された商品数量（各３５個）以外にも、本件商標を商品「化粧品」について使用している事実が存在するのであれば、被請求人は、そのような証拠方法を提出すべきである。
　したがって、乙第３号証ないし乙第６号証並びに乙第１８号証は、本件商標が本件審判請求に係る指定商品「化粧品」について使用されている事実につき的確な証明力を有するものとはいえない。
（３）むすび
　以上のことから、被請求人が提出する各証拠により、被請求人又は通常使用権者が本件審判請求の予告登録前３年以内に本件審判請求に係る指定商品について本件商標を使用している事実は立証されていない。
　したがって、本件商標の登録は、商標法第５０条第１項の規定により、取り消されるべきである。
　
３　被請求人の答弁
　被請求人は、結論同旨の審決を求めると答弁し、その理由を要旨次のように述べ、証拠方法として乙第１号証ないし乙第１８号証（枝番号を含む。）を提出した。
（１）請求人の主張に対する反論
　被請求人により許諾された通常使用権者が本件商標を取消請求に係る指定商品について、本件審判請求の予告登録前３年以内に使用している事実がある。これを以下のとおり立証する。
（ア）被請求人は、乙第１号証に示すとおりセルレ株式会社に、平成１４年１月１５日から現在に至るまで、通常使用権を許諾している。
　被請求人から本件商標の使用の許諾を受けたセルレ株式会社は、本件商標が付された化粧品を譲り渡しすることによって、本件審判請求の予告登録前３年以内に、本件審判請求に係る指定商品中の化粧品について本件商標の使用をしているものである。
　乙第２号証ないし乙第８号証に示すとおり、セルレ株式会社の直営する販売店（乙第２号証）である「Ｃａｄｅａｕｘ・カドゥ」、「セルレラフェット多摩」、「セルレマリノアシティ」等の店舗において、本件商標が付された化粧品が譲り渡しされている事実がある。
　乙第７号証の１ないし１３は、上記直営店の店舗において、本件商標が付された化粧品の譲り渡し行為が行われたことを示す売上伝票の一部の写しである。
　なお、売上伝票にある日付の右側にある「レシートＮＯ．」の下方にある「店番号」は、店舗住所録（乙第２号証）に記載されている店舗コードに対応するものである（この点、例えば、売上伝票に記載される「店：０００２」なる表示は、「店舗コード０００２」に対応し、大阪府北区に所在する「Ｃａｄｅａｕｘ・カドゥ」で売上があったことを示すものである）。
　一例をあげると、乙第７号証の１によって、株式会社セルレの直営する販売店の「Ｃａｄｅａｕｘ・カドゥ」（店舗コード０００２）において、２００２年６月８日付けで、本件商標を付した化粧品（「ビオメティック　ミルキィローション」及び「ビオメティック　スキンローション」）を譲り渡し、それぞれ金９８０円を受領した事実がある。
　上記事実に鑑みれば、２００２年（平成１４年）６月８日に、セルレ株式会社は、本件商標が付された化粧品を譲渡する行為を行ったことから、本件審判請求の予告登録前３年以内の期間内に本件商標を使用したことが明らかである。
　さらに、乙第８号証は、上記店舗における本件商標が付された商品の譲渡のための展示の状態を示すものである。
（イ）よって、本件審判請求の予告登録前３年以内において、被請求人が許諾した通常使用権者であるセルレ株式会社によって本件商標が付された化粧品が譲り渡しされ、譲渡のための展示する行為（商標法第２条第３項第２号）が行われていることから、本件商標を請求に係る指定商品について使用していることは明白である。
（ウ）本件商標が付された化粧品の製造等について
　乙第９号証の製品生産発注書にあるように、セルレ株式会社は、化粧品製造会社であるフィディカコスメ株式会社に対して、本件商標が付された化粧品（以下「本件商品」という。）の製造を依頼したものである。
　また、乙第１０号証及び乙第１１号証は、フィディカコスメ株式会社で製造された本件商品がセルレ株式会社に納品された事実を示すものである。
　なお、乙第１０号証及び乙第１２号証に記載されている表示「ＸＡ１　クレンジングパウダー」と「ＸＢ２　ミルキィクレンジング」とは、包装明細書（乙第１８号証）に示すとおり、本件商標が付された本件商品である。
　上記納品書（写）により、本件審判請求の予告登録前３年以内である２００２年（平成１４年）２月２７日（乙第１０号証）及び２００２年（平成１４年）３月１日（乙第１１号証）の時点で、セルレ株式会社が本件商品を保有していた事実が明らかである。
　乙第１２号証及び乙第１３号証は、フィディカコスメ株式会社によるセルレ株式会社に対する本件商品の対価の請求書（写）である。
　さらに、乙第１４号証及び乙第１５号証は、本件商品の製造についてフィディカコスメ株式会社による薬事法に基づく化粧品製造製品販売名届書（写）である。乙第１６号証及び乙第１７号証は、本件商品の製造についてエルソルプロダクツ株式会社による薬事法に基づく化粧品製造製品販売名届書（写）である。
　なお、エルソルプロダクツ株式会社は、フィディカコスメ株式会社の依頼により、本件商品の製造工程の一部の原料調整、充填等の工程を行ったものである。
（２）以上述べたところから、乙第１号証ないし乙第１８号証によって、被請求人により許諾された通常使用権者が本件商標をその請求に係る指定商品について、本件審判請求の予告登録前３年以内に使用している事実が明らかである。
　
４　当審の判断
　被請求人の提出に係る乙第９号証の製品生産発注書、乙第１０号証及び乙第１１号証の納品書によれば、被請求人の許諾を受けた（乙第１号証）本件に関する通常使用権者と認められるセルレ株式会社（以下「通常使用権者」という。）は、フィディカコスメ株式会社に対して、商品「ミルキィクレンジング」、「クレンジングパウダー」、「スキンローション」及び「ミルキィローション」（以下これらを一括して「使用商品」という。）の製造を２００２年２月１５日に依頼し、その使用商品が２００２年２月２７日及び２００２年３月１日にそれぞれ納品された事実を認めることができる。そして、使用商品は、本件商標の指定商品中「化粧品」の範疇に属する商品と認められる。
　また、乙第２号証の店舗住所録及び乙第７号証の１ないし１３の売上伝票によれば、通常使用権者の直営店と認められる「Ｃａｄｅａｕｘ・カドゥ」、「セルレラフェット多摩」、「セルレマリノアシティ」等の店舗において、使用商品が販売されていた事実を認めることができる。そして、その売上伝票には、２００２／０３／１１、２００２／０３／１７、２００２／０６／０８等と記載されていることから、使用商品は、いずれも本件審判の請求の登録前３年以内に販売されたものと認められる。
　さらに、乙第３号証ないし乙第６号証の使用商品の写真及び乙第１８号証の包装明細書によれば、本件商標と社会通念上同一の商標と認められる「ＢＩＯＭＥＴＩＣ」の欧文字と、その表音と認められる「ビオメティック」の片仮名文字とが共に使用されていることが認められる。
　そうすると、乙第７号証の１ないし１３の売上伝票、乙第９号証の製品生産発注書、乙第１０号証及び乙第１１号証の納品書に使用されている「ビオメティック」の文字が、片仮名文字のみであったとしても、前記のとおり、乙第３号証ないし乙第６号証の使用商品の写真及び乙第１８号証の包装明細書の商標の使用態様を考慮すれば、乙第７号証の１ないし１３、乙第９号証、乙第１０号証及び乙第１１号証に使用されている商標は、本件商標と社会通念上同一の商標を使用していなかったとまではいい得ない。
　してみれば、本件商標は、被請求人が提出した証拠を総合勘案すれば、通常使用権者により、本件商標と社会通念上同一と認められる商標を、継続して本件審判請求の登録（平成１６年８月９日）前３年以内に日本国内において、その指定商品中「化粧品」について使用していたものといわなければならない。
　なお、請求人は、乙第１１号証及び乙第１７号証に関して、当該届出日（平成１４年年２月２６日）の翌日に商品が完成し、これが納品されるということは、業界の常識に照らして考え難いことである旨主張している。
　しかしながら、請求人の主張に係る乙第１１号証及び乙第１７号証は、商品の納品者と届出者が相違しているもので、商品が一致しているとしても、乙第１１号証と乙第１７号証が対応しているものとは認められず、むしろ、乙第１１号証の納品者と商品が乙第１５号証の届出者と商品「ミルキィローション」「スキンローション」とが一致していることより、乙第１１号証と乙第１５号証が対応しているといえるものであり、しかも、乙第１１号証の納品日（２００２年年２月２７日）は、乙第１５号証の届出日（平成１４年年２月１８日）の９日前であるから、この点に関する請求人の主張は採用することができない。
　また、請求人は、乙第９号証、乙第１０号証及び乙第１２号証について、商品の発注数量と納品数量との間には齟齬があり、これら乙各号証は、証拠としての的確な証明力を有していない旨主張しているが、商品の数量に前記の齟齬があったとしても、それをもって、直ちに、その商品が製造されなかったとまではいい得ないものであるから、この点に関する請求人の主張は、採用することができない。
　したがって、本件商標の登録は、商標法第５０条の規定により、取り消すべきではない。
　よって、結論のとおり審決する。